【手続補正書】
【提出日】平成18年11月27日(2006.11.27)
【手続補正１】
【補正対象書類名】明細書
【補正対象項目名】特許請求の範囲
【補正方法】変更
【補正の内容】
【特許請求の範囲】
【請求項１】  ネットワークを介して情報処理装置から印刷すべき印刷ジョブを受信可能なプリントサーバ装置であって、
前記情報処理装置にから受信する、印刷装置に依存する形式のデバイス依存形式データと該印刷装置に依存しない形式のデバイス非依存形式データの両方を保存ジョブデータとしてメモリに保存し、前記印刷装置による印刷処理の終了後も、該保存ジョブデータを管理する保存ジョブ管理手段と、
前記情報処理装置から受信する再印刷の要求に応じて、再印刷の出力指定がなされた印刷装置と、前記保存ジョブ管理手段で管理されているデバイス依存形式データが依存する印刷装置とで、属性が異なるか判断する判断手段と、
前記判断手段により属性が異なると判断された場合に、前記情報処理装置が前記デバイス非依存形式データに基づいて再印刷のための出力先に応じたデバイス依存形式データである印刷データを生成するように、前記デバイス非依存形式データを前記情報処理装置に出力し、一方、前記判断手段により属性が同じであると判断された場合に、前記デバイス依存形式データを出力先の印刷装置に出力する出力制御手段と、
を有することを特徴とするプリントサーバ装置。
【請求項２】  前記保存ジョブ管理手段は、前記情報処理装置から送信された保存ジョブデータを指定された期間だけ保存し、該指定された期間経過後、前記メモリから削除することを特徴とする請求項１記載のプリントサーバ装置。
【請求項３】  前記情報処理装置からの保存要求に応じて、前記保存ジョブ管理手段による前記保存ジョブデータの管理が可能であるかを判断する判断手段を更に有し、
前記判断手段により前記保存ジョブデータの管理が可能であると判断された場合に、前記保存ジョブ管理手段は、前記保存ジョブデータの保存及び管理を行うことを特徴とする請求項１または２記載のプリントサーバ装置。
【請求項４】  前記判断手段により前記保存ファイルの管理が不可能と判断された場合に、前記保存ジョブ管理手段は、保存要求あった印刷ジョブＩＤと保存ジョブサイズとを保存待ちリストに登録管理することを特徴とする請求項３記載のプリントサーバ装置。
【請求項５】  前記メモリの空き容量と前記保存待ちリストに登録された保存ジョブサイズとを比較して登録可能な印刷ジョブＩＤを検出する検出手段を更に有することを特徴とする請求項４記載のプリントサーバ装置。
【請求項６】  前記中間データは、ＥＭＦデータであり、前記印刷データは、ＲＡＷデータであることを特徴とする請求項１乃至５のいずれか１項に記載のプリントサーバ装置。
【請求項７】  ネットワークを介して印刷装置で印刷されるべき印刷ジョブを生成する情報処理装置であって、
第一のプリンタドライバを用いて前記印刷装置で印刷されるべきデバイス依存形式データである印刷データを生成する印刷データ生成手段と、
前記印刷データ生成手段による印刷データの生成中に得られるデバイス非依存形式データと、前記印刷データ生成手段により生成されるデバイス依存形式データとを、ネットワークを介して印刷ジョブ管理装置に送信する送信制御手段と、
前記印刷装置に印刷データが出力された後に、再印刷すべき印刷ジョブのリストを表示する表示手段と、
前記表示手段により表示される印刷ジョブのリストからユーザにより選択された再印刷する印刷ジョブを出力するための印刷装置を判断する判断手段とを有し、
前記印刷データ生成手段は、前記判断手段により判断された印刷装置が、最初の出力先の印刷装置と異なる場合に、前記デバイス非依存形式データを前記印刷ジョブ管理装置から受け取り、前記第一のプリンタドライバとは異なる第二のプリンタドライバを用いてデバイス依存形式データである印刷データを生成することを特徴とする情報処理装置。
【請求項８】  前記印刷ジョブ管理装置において保存ジョブデータを保存させる保存条件を指定する条件指定手段を更に有することを特徴とする請求項７記載の情報処理装置。
【請求項９】  前記保存条件は、保存期間であることを特徴とする請求項８記載の情報処理装置。
【請求項１０】  前記保存条件は、印刷耐久回数であることを特徴とする請求項８または９記載の情報処理装置。
【請求項１１】  ネットワークを介して情報処理装置から印刷すべき印刷ジョブを受信可能なプリントサーバ装置における印刷ジョブ管理方法であって、
前記情報処理装置にから受信する、印刷装置に依存する形式のデバイス依存形式データと該印刷装置に依存しない形式のデバイス非依存形式データの両方を保存ジョブデータとしてメモリに保存し、前記印刷装置による印刷処理の終了後も、該保存ジョブデータを管理する保存ジョブ管理工程と、
前記情報処理装置から受信する再印刷の要求に応じて、再印刷の出力指定がなされた印刷装置と、前記保存ジョブ管理工程で管理されているデバイス依存形式データが依存する印刷装置とで、属性が異なるか判断する判断工程と、
前記判断工程で属性が異なると判断された場合に、前記情報処理装置が前記デバイス非依存形式データに基づいて再印刷のための出力先に応じたデバイス依存形式データである印刷データを生成するように、前記デバイス非依存形式データを前記情報処理装置に出力し、一方、前記判断工程で属性が同じであると判断された場合に、前記デバイス依存形式データを出力先の印刷装置に出力する出力制御工程と、
を含むことを特徴とする印刷ジョブ保存方法。
【請求項１２】  ネットワークを介して印刷装置で印刷されるべき印刷ジョブを生成する情報処理装置における保存ジョブ生成方法であって、
第一のプリンタドライバを用いて前記印刷装置で印刷されるべきデバイス依存形式データである印刷データを生成する印刷データ生成工程と、
前記印刷データ生成工程による印刷データの生成中に得られるデバイス非依存形式データと、前記印刷データ生成工程により生成されるデバイス依存形式データとを、ネットワークを介して印刷ジョブ管理装置に送信する送信制御工程と、
前記印刷装置に印刷データが出力された後に、再印刷すべき印刷ジョブのリストを表示する表示工程と、
前記表示される印刷ジョブのリストからユーザにより選択された再印刷する印刷ジョブを出力するための印刷装置を判断する判断工程手段とを含み、
前記印刷データ生成工程は、前記判断工程で判断された印刷装置が、最初の出力先の印刷装置と異なる場合に、前記デバイス非依存形式データを前記印刷ジョブ管理装置から受け取り、前記第一のプリンタドライバとは異なる第二のプリンタドライバを用いてデバイス依存形式データである印刷データを生成することを特徴とする保存ジョブ生成方法。
【請求項１３】  ネットワークを介して情報処理装置から印刷すべき印刷ジョブを受信可能なプリントサーバ装置で読み取り実行可能なプログラムが格納された記憶媒体であって、
前記情報処理装置にから受信する、印刷装置に依存する形式のデバイス依存形式データと該印刷装置に依存しない形式のデバイス非依存形式データの両方を保存ジョブデータとしてメモリに保存し、前記印刷装置による印刷処理の終了後も、該保存ジョブデータを管理する保存ジョブ管理工程と、
前記情報処理装置から受信する再印刷の要求に応じて、再印刷の出力指定がなされた印刷装置と、前記保存ジョブ管理工程で管理されているデバイス依存形式データが依存する印刷装置とで、属性が異なるか判断する判断工程と、
前記判断工程で属性が異なると判断された場合に、前記情報処理装置が前記デバイス非依存形式データに基づいて再印刷のための出力先に応じたデバイス依存形式データである印刷データを生成するように、前記デバイス非依存形式データを前記情報処理装置に出力し、一方、前記判断工程で属性が同じであると判断された場合に、前記デバイス依存形式データを出力先の印刷装置に出力する出力制御工程と、
を含むことを特徴とするプログラムが格納された記憶媒体。
【請求項１４】  ネットワークを介して印刷装置で印刷されるべき印刷ジョブを生成する情報処理装置で読み取り実行可能なプログラムが格納された記憶媒体であって、
第一のプリンタドライバを用いて前記印刷装置で印刷されるべきデバイス依存形式データである印刷データを生成する印刷データ生成工程と、
前記印刷データ生成工程による印刷データの生成中に得られるデバイス非依存形式データと、前記印刷データ生成工程により生成されるデバイス依存形式データとを、ネットワークを介して印刷ジョブ管理装置に送信する送信制御工程と、
前記印刷装置に印刷データが出力された後に、再印刷すべき印刷ジョブのリストを表示する表示工程と、
前記表示される印刷ジョブのリストからユーザにより選択された再印刷する印刷ジョブを出力するための印刷装置を判断する判断工程手段とを含み、
前記印刷データ生成工程は、前記判断工程で判断された印刷装置が、最初の出力先の印刷装置と異なる場合に、前記デバイス非依存形式データを前記印刷ジョブ管理装置から受け取り、前記第一のプリンタドライバとは異なる第二のプリンタドライバを用いてデバイス依存形式データである印刷データを生成することを特徴とするプログラムが格納された記憶媒体。
【手続補正２】
【補正対象書類名】明細書
【補正対象項目名】００１８
【補正方法】変更
【補正の内容】
【００１８】
【課題を解決するための手段】
本発明に係る第１の発明は、ネットワークを介して情報処理装置から印刷すべき印刷ジョブを受信可能なプリントサーバ装置であって、前記情報処理装置にから受信する、印刷装置に依存する形式のデバイス依存形式データと該印刷装置に依存しない形式のデバイス非依存形式データの両方を保存ジョブデータとしてメモリに保存し、前記印刷装置による印刷処理の終了後も、該保存ジョブデータを管理する保存ジョブ管理手段と、前記情報処理装置から受信する再印刷の要求に応じて、再印刷の出力指定がなされた印刷装置と、前記保存ジョブ管理手段で管理されているデバイス依存形式データが依存する印刷装置とで、属性が異なるか判断する判断手段と、前記判断手段により属性が異なると判断された場合に、前記情報処理装置が前記デバイス非依存形式データに基づいて再印刷のための出力先に応じたデバイス依存形式データである印刷データを生成するように、前記デバイス非依存形式データを前記情報処理装置に出力し、一方、前記判断手段により属性が同じであると判断された場合に、前記デバイス依存形式データを出力先の印刷装置に出力する出力制御手段とを有する。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】変更
【補正の内容】
【００２５】
本発明に係る第８の発明は、ネットワークを介して印刷装置で印刷されるべき印刷ジョブを生成する情報処理装置であって、第一のプリンタドライバを用いて前記印刷装置で印刷されるべきデバイス依存形式データである印刷データを生成する印刷データ生成手段と、前記印刷データ生成手段による印刷データの生成中に得られるデバイス非依存形式データと、前記印刷データ生成手段により生成されるデバイス依存形式データとを、ネットワークを介して印刷ジョブ管理装置に送信する送信制御手段と、前記印刷装置に印刷データが出力された後に、再印刷すべき印刷ジョブのリストを表示する表示手段と、前記表示手段により表示される印刷ジョブのリストからユーザにより選択された再印刷する印刷ジョブを出力するための印刷装置を判断する判断手段とを有し、前記印刷データ生成手段は、前記判断手段により判断された印刷装置が、最初の出力先の印刷装置と異なる場合に、前記デバイス非依存形式データを前記印刷ジョブ管理装置から受け取り、前記第一のプリンタドライバとは異なる第二のプリンタドライバを用いてデバイス依存形式データである印刷データを生成する。
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】０１４１
【補正方法】変更
【補正の内容】
【０１４１】
以上説明したように、本実施例によれば、印刷が完了したジョブのみを保存ジョブとしてサーバで一括管理でき、サーバ障害時においても印刷ジョブの保存をクライアントが肩代わりすることが可能である。
【手続補正１１】
【補正対象書類名】明細書
【補正対象項目名】０１４３
【補正方法】変更
【補正の内容】
【０１４３】
【発明の効果】
以上説明したように、本発明によれば、プリントサーバに保存された保存ジョブデータをクライアント装置が取り出し、再印刷先が同じ属性のプリンタであれば、デバイス依存形式データを用いて印刷処理を行うため、全く同じ印刷イメージが再現でき、また再印刷先が違う属性のプリンタである場合は、デバイス非依存形式データから再度デバイス依存形式データを生成して印刷処理を行うため、オリジナルの印刷イメージに近い出力が可能となる。